(57)【特許請求の範囲】
【請求項１】
外周長手方向に櫛歯を複数列有する回転ブラシと、前記回転ブラシを回転可能に収納し下方に開口部を有する回転ブラシ収納室と、前記回転ブラシ収納室の後壁に設けられ前記開口部と連通する吸引口と、前記吸引口に連通すると共に電気掃除機のホースに接続される接続管と、前記回転ブラシの櫛歯が突出した状態で後から前へ回転するのを規制する回転規制手段と、前記回転ブラシを回転させるためのダイヤルとを備え、前記櫛歯に付着した毛を除去する梳き歯を、前記吸引口の上縁近傍に配しており、前記回転ブラシの外周に櫛歯を少なくとも３種類配置し、前記回転ブラシが所定の回転位置にあるとき、前記櫛歯の全てが前記回転ブラシ収納室に収まるようにしたグルーミング用ブラシ。
【請求項２】
外周長手方向に櫛歯を複数列有する回転ブラシと、前記回転ブラシを回転可能に収納し下方に開口部を有する回転ブラシ収納室と、前記回転ブラシ収納室の後壁に設けられ前記開口部と連通する吸引口と、前記吸引口に連通すると共に電気掃除機のホースに接続される接続管と、前記回転ブラシの櫛歯が突出した状態で前から後へ回転するのを規制する回転規制手段と、前記回転ブラシを回転させるためのダイヤルとを備え、前記櫛歯に付着した毛を除去する梳き歯を、前記吸引口の下縁近傍に配しており、前記回転ブラシの外周に櫛歯を少なくとも３種類配置し、前記回転ブラシが所定の回転位置にあるとき、前記櫛歯の全てが前記回転ブラシ収納室に収まるようにしたグルーミング用ブラシ。
【請求項３】
回転ブラシ収納室の底面を皮膚に密着させたときに外気と開口部を連通する凹溝を前記回転ブラシ収納室の底面に設けた請求項１または２に記載のグルーミング用ブラシ。
【発明の詳細な説明】
【技術分野】
【０００１】
本発明は、ペット等の毛を梳くグルーミング用ブラシに関するもので、特に、電気掃除機に接続して、ペット等の毛を梳きながら同時に、梳かれた毛を吸引できるようにしたグルーミング用ブラシの関するものである。
【背景技術】
【０００２】
従来のこの種のグルーミング用ブラシとして、中空筒状で一端に電気掃除機のホースに接続される接続口を有し、他端に吸引口が形成された毛梳き本体を備え、前記吸引口側には、外周長手方向に目の荒い櫛歯と目の細かい櫛歯を有する櫛歯支持体が回転可能に設けたペット用ブラシがある（例えば、特許文献１参照）。
【０００３】
このペット用ブラシを用いるときは、使用者は、櫛歯支持体に連結された回動操作部を操作して、ペットの毛に合った櫛歯を選択し、それを吸引口から突出させる、そして、接続した電気掃除機を運転しながら、毛梳き本体の胴部を握って、ペットの毛を梳くことにより、櫛歯で梳かれた毛が瞬時に吸引されようになっている。
【０００４】
しかしながら、上記従来のペット用ブラシの構成では、毛変わり時期との関係で、ペットから抜ける毛が多い場合は、櫛歯で梳かれた毛が櫛歯間につまって、吸引されないまま残ってしまい、後の処理が大変になるという課題があった。
【０００５】
上記課題を解決するために、剛毛でペットの毛を梳くとともに、その剛毛に絡みついた毛を取り除くための歯を設けたペット用ブラシが提案されている（例えば、特許文献２参照）。
【０００６】
図７（ａ）は、上記特許文献２に記載された従来のペット用ブラシの断面図、図７（ｂ）は、同ペット用ブラシの側面図である。
【０００７】
図７において、従来のペット用ブラシのケース１は、下向きの開口部２と、上面に突設され電気掃除機のホース（図示せず）に接続される接続管３を有し、さらに回転自在の回転ブラシ４を内蔵している。回転ブラシ４の外周長手方向には、多数本のワイヤ製の剛毛７が植設されている。
【０００８】
１１は、回転ブラシ４の支軸（図示せず）に固着されたラチェット車で、１２は、ケース１の側壁１ａに突設した軸１３に中間部を回転自在に支持されたラチェットで、その先端部は、ラチェット車１１の歯１１ａに係脱自在で、軸１３に嵌挿されたひねりばね１４の一端がラチェット１２に掛けられ、ラチェット１２をラチェット車１１に係合する方向に付勢している。又、回転ブラシ４は、図示しないつまみで、外部より回転できるようになっている。５は、掃除用櫛で、ワイヤ製で、剛毛７に絡みついた毛を取り除く歯５ａを有し、この歯５ａは、レバー１０を操作して支棒５ｂを回転させることにより５ｃと５ｄの二つの位置間で、回動できるようになっている。
【０００９】
以上のように構成された従来のペット用ブラシの動作は以下の通りである。
【００１０】
レバー１０を操作して、掃除用櫛５の歯５ａを、５ｄの位置にセットする。次に、接続口３に電気掃除機のホースを接続し、ケース１を把持して、矢印Ｘ方向に引いてペットの毛を梳き取る。剛毛７に付着した毛は、電気掃除機の吸引力により、ケース１内を経て電気掃除機内に集毛される。
【００１１】
この従来例では、ラチェット１２が、ラチェット車１１の歯１１ａに係合しているので、ペット用ブラシをＸ方向に引くときは、回転ブラシ４の回転が阻止され、梳きとり作業が確実に出来る。一方ペット用ブラシを矢印Ｘと反対方向に押したときは、ひねりばね１４の付勢力に抗して、ラチェット１２が、ラチェット車１１の歯１１ａを乗り越え、回転ブラシ４が反時計方向に容易に回転するので、逆毛を立てることが無く円滑にペット用ブラシを前後に移動させることが出来る。
【００１２】
梳き取り作業を続けていると、剛毛７に毛が絡みついて吸引されないまま残ることがあるが、この場合は、レバー１０を操作して、掃除用櫛５の歯５ａを５ｃの位置に切り換え、ラチェット１２の操作端１２ａを押しながら、すなわち、ラチェット１２とラチェット車１１の歯１１ａとの係合を外して、つまみを回して、回転ブラシ４を時計方向に回転させることにより、剛毛７に絡みついた毛は、掃除用櫛５の歯５ａで除去され、同時に電気掃除機の吸引力によって電気掃除機内に集毛される。
【特許文献１】特開平１１−１７８６４３号公報
【特許文献２】実開平２−３２８４号公報（実願昭６３−７９９８２号のマイクロフイルム）
【発明の開示】
【発明が解決しようとする課題】
【００１３】
しかしながら、上記特許文献２に記載された従来のペット用ブラシの構成では、剛毛７に付着した毛を除去するときの掃除用櫛５の歯５ａの位置が、接続管３の吸引口３ａより離れた位置にあるので、掃除用櫛５の歯５ａで除去された毛に電気掃除機による吸引力が十分作用せず、歯５ａに残るといった課題があった。
【００１４】
又、剛毛７に付着した毛を除去するときは、ラチェット１２の操作端１２ａを押しながらつまみを廻さなければならず、非常に操作が面倒になるといった課題もあった。
【００１５】
本発明は、上記従来の課題を解決するもので、簡単な操作で、回転ブラシに付着した毛を確実に除去することが出来るグルーミング用ブラシを提供する事を目的とする。
【課題を解決するための手段】
【００１６】
前記従来の課題を解決するために、本発明のグルーミング用ブラシは、外周長手方向に櫛歯を複数列有する回転ブラシと、前記回転ブラシを回転可能に収納し下方に開口部を有する回転ブラシ収納室と、前記回転ブラシ収納室の後壁に設けられ前記開口部と連通する
吸引口と、前記吸引口に連通すると共に電気掃除機のホースに接続される接続管と、前記回転ブラシの櫛歯が突出した状態で後から前へ回転するのを規制する回転規制手段と、前記回転ブラシを回転させるためのダイヤルとを備え、前記櫛歯に付着した毛を除去する梳き歯を、前記吸引口の上縁近傍に配しており、前記回転ブラシの外周に櫛歯を少なくとも３種類配置し、前記回転ブラシが所定の回転位置にあるとき、前記櫛歯の全てが前記回転ブラシ収納室に収まるようにしたもので、ダイヤルで回転ブラシを反時計方向に回すだけで櫛歯に付着した毛が梳き歯で梳かれると共に、梳き歯が、電気掃除機の吸引力が強く作用する吸引口の近傍に配されているので、回転ブラシで梳き取ったペットの毛を確実に吸引することができる。
【００１７】
又、本発明のグルーミング用ブラシは、外周長手方向に櫛歯を複数列有する回転ブラシと、前記回転ブラシを回転可能に収納し下方に開口部を有する回転ブラシ収納室と、前記回転ブラシ収納室の後壁に設けられ前記開口部と連通する吸引口と、前記吸引口に連通すると共に電気掃除機のホースに接続される接続管と、前記回転ブラシの櫛歯が突出した状態で前から後へ回転するのを規制する回転規制手段と、前記回転ブラシを回転させるためのダイヤルとを備え、前記櫛歯に付着した毛を除去する梳き歯を、前記吸引口の下縁近傍に配しており、前記回転ブラシの外周に櫛歯を少なくとも３種類配置し、前記回転ブラシが所定の回転位置にあるとき、前記櫛歯の全てが前記回転ブラシ収納室に収まるようにしたもので、ダイヤルで回転ブラシを時計方向に回すだけで櫛歯に付着した毛が梳き歯で梳かれると共に、梳き歯が、電気掃除機の吸引力が強く作用する吸引口の近傍に配されているので、回転ブラシで取ったペットの毛を確実に吸引することができる。
【発明の効果】
【００１８】
本発明のグルーミング用ブラシは、簡単な操作で、回転ブラシに付着した毛を確実に除去することが出来る。
【発明を実施するための最良の形態】
【００１９】
第１の発明は、外周長手方向に櫛歯を複数列有する回転ブラシと、前記回転ブラシを回転可能に収納し下方に開口部を有する回転ブラシ収納室と、前記回転ブラシ収納室の後壁に設けられ前記開口部と連通する吸引口と、前記吸引口に連通すると共に電気掃除機のホースに接続される接続管と、前記回転ブラシの櫛歯が突出した状態で後から前へ回転するのを規制する回転規制手段と、前記回転ブラシを回転させるためのダイヤルとを備え、前記櫛歯に付着した毛を除去する梳き歯を、前記吸引口の上縁近傍に配しており、前記回転ブラシの外周に櫛歯を少なくとも３種類配置し、前記回転ブラシが所定の回転位置にあるとき、前記櫛歯の全てが前記回転ブラシ収納室に収まるようにしたもので、ダイヤルで回転ブラシを反時計方向に回すだけで櫛歯に付着した毛が梳き歯で梳かれると共に、梳き歯が、電気掃除機の吸引力が強く作用する吸引口の近傍に配されているので、回転ブラシで取ったペットの毛を確実に吸引することができる。
【００２０】
第２の発明は、外周長手方向に櫛歯を複数列有する回転ブラシと、前記回転ブラシを回
転可能に収納し下方に開口部を有する回転ブラシ収納室と、前記回転ブラシ収納室の後壁に設けられ前記開口部と連通する吸引口と、前記吸引口に連通すると共に電気掃除機のホースに接続される接続管と、前記回転ブラシの櫛歯が突出した状態で前から後へ回転するのを規制する回転規制手段と、前記回転ブラシを回転させるためのダイヤルとを備え、前記櫛歯に付着した毛を除去する梳き歯を、前記吸引口の下縁近傍に配しており、前記回転ブラシの外周に櫛歯を少なくとも３種類配置し、前記回転ブラシが所定の回転位置にあるとき、前記櫛歯の全てが前記回転ブラシ収納室に収まるようにしたもので、ダイヤルで回転ブラシを時計方向に回すだけで櫛歯に付着した毛が梳き歯で梳かれると共に、梳き歯が、電気掃除機の吸引力が強く作用する吸引口の近傍に配されているので、回転ブラシで取ったペットの毛を確実に吸引することができる。
【００２１】
また、第１及び第２の発明は、回転ブラシの外周に櫛歯を少なくとも３種類配置し、前記回転ブラシが所定の回転位置にあるとき、前記櫛歯の全てが回転ブラシ収納室内に収まるようにしたもので、回転ブラシの外周に櫛歯が少なくとも３列配されているにもかかわらず、ダイヤルを回して、回転ブラシを所定の位置まで回転させるだけで、全ての櫛歯が回転ブラシ収納室内に収まるので、保管スペース、包装スペースが少なくて済み、包装パッケージや運送のコストを低減することができる。
【００２２】
第３の発明は、特に、第１または第２の発明の回転ブラシ収納室の底面を皮膚に密着させたときに外気と開口部を連通する凹溝を前記回転ブラシ収納室の底面に設けたもので、ブラッシング中に、グルーミング用ブラシの底面がペット等の皮膚に密着するようなことがあっても、凹溝を通して外気が吸引されるので、開口部がペット等の皮膚に密着してグルーミング用ブラシの操作がやりづらくなったり、ペット等に不快感を与えたりすることがない。
【００２３】
以下、本発明の実施の形態について、図面を参照しながら説明する。なお、この実施の形態によって本発明が限定されるものではない。
【００２４】
（実施の形態１）
図１は、本発明の実施の形態１におけるグルーミング用ブラシの外観斜視図、図２は、同グルーミング用ブラシの裏面斜視図、図３（ａ）は、同グルーミング用ブラシの裏面斜視図（カバーを外した状態）、図３（ｂ）は、同グルーミング用ブラシの回転規制手段の側面図、図４（ａ）は、同グルーミング用ブラシの断面図、図４（ｂ）は、図４（ａ）のＡ矢視図、図４（ｃ）は、図４（ａ）のＢ矢視図、図５は、同グルーミング用ブラシの断面図（櫛歯を回転ブラシ収納室内に収納した状態）である。
【００２５】
図１〜５において、本実施の形態におけるグルーミング用ブラシのケース２０は、ケース右２０ａとケース左２０ｂとを突き合わせて形成されている。ケース右２０ａとケース左２０ｂの固定は、ねじ、接着、熱溶着、超音波溶着など一般的な方法で行われる。
【００２６】
ケース２０の前部には、ペットの毛をブラッシングするための回転ブラシ２１を回転可能に収納すると共に下方に開口部２２を有する回転ブラシ収納室２３が形成され、後部には、握りやすいように筒状となっており端部が電気掃除機のホース（図示せず）に接続される接続管２４が形成され、回転ブラシ収納室２３の後壁には、開口部２２と接続管２４を連通する吸引口２５が形成されている。本実施の形態では、ケース右２０ａとケース左２０ｂとを突き合わせて固定するだけで、回転ブラシ収納室２３、開口部２２、接続管２４、吸引口２５のそれぞれが形成されるようになっている。
【００２７】
回転ブラシ２１は、軸２１ａを有し略棒状のコアー２１ｂと、コアー２１ｂの外周長手方向に、且つ放射方向に突出するように複数列設けられペットの毛を梳く櫛歯２６とから構成されている。櫛歯２６のそれぞれは、多数本の線材などから形成されている。
【００２８】
本実施の形態では、櫛歯２６として、目が粗く若干突出代の長い櫛歯２６ａを一列、目が比較的細かく、短めの櫛歯２６ｂ〜２６ｅを４列設けている。櫛歯２６ｃ〜２６ｅの三列は、回転ブラシ２１の外周の周方向で近接させて配置しており、ブラッシングの際、櫛歯２６ａ、櫛歯２６ｂは、それぞれ単独で用いられるのに対し、櫛歯２６ｃ〜２６ｅは、同時に使用するようになっている。  又、本実施の形態では、回転ブラシ２１の回転位置を図５に示すような位置にしたときに、櫛歯２６の全てが、回転ブラシ収納室２３内に収まるように、各櫛歯２６を、回転ブラシ２１のコアー２１ｂの外周に配置している。
【００２９】
なお、櫛歯２６ｅ、２６ｄ、２６ｃからなるブラシ部は、通常のブラッシングに適したものである。また、櫛歯２６ｂは特に毛の生え替わる時期などペットから抜ける毛が多い場合に適しており、さらに、櫛歯２６ａは溝の深さを２〜３ｍｍとしたもので特にアンダーコートの除去に適している。
【００３０】
２７は、回転ブラシ２１の軸２１ａの端部に固定されたダイヤルで、使用者は、このダイヤル２７を回転させて、希望の櫛歯（２６ａ又は２６ｂ又は、２６ｃ〜２６ｅのいずれか）を開口部２２から突出させることができるようになっている。
【００３１】
２８は、回転ブラシ２１の軸２１ａに装着されたラチェット車で、外周の、櫛歯２６ａ、２６ｂ及び２６ｄのそれぞれに対応する位置に凹部２８ａが形成されている。
【００３２】
２９は、略中央部がケース右２０ａに回動自在に設けられ、一端に凹部２８ａと係脱する爪２９ａを有するラチェットで、バネ３０により、爪２９ａが凹部２８ａに係合する方向に付勢されている。
【００３３】
本実施の形態では、図３（ｂ）に示すように、凹部２８ａの断面形状は、ラチェット車２８が時計方向に回転するときは、ラチェット２９の爪２９ａが、バネ３０の付勢力に抗して容易に乗り上げるようになっているが、ラチェット車２８が反時計方向に回ろうとすると、ラチェット２９の爪２９ａが凹部２８ａに食い込んで回転できないようになっている。すなわち、ラチェット車２８とラチェット２９とで、回転ブラシ２１の反時計方向への回転を阻止する回転規制手段３１を形成している。尚、図３は、グルーミング用ブラシの裏面斜視図なので、通常の使用状態を示す図４においては、回転規制手段３１は、回転ブラシ２１の時計方向（櫛歯２６が突出した状態で後から前に向かう方向）への回転を規制することになる。
【００３４】
３３は、ラチェット車２８、ラチェット２９、バネ３０を覆うように、ケース右２０ａにねじ（図示せず）などで固定されるカバーである。
【００３５】
３４は、回転ブラシ収納室２３の吸引口２５の上縁２５ａの近傍に設けられ、櫛歯２６に付着した毛を除去する梳き歯で、ケース右２０ａの側面に設けたダイヤル２７を時計方向にまわして、すなわち、図４では、回転ブラシ２１を反時計方向に回転させて、梳き歯３４で櫛歯２６を梳くことにより、櫛歯２６に引っ掛かっていた毛を、梳き歯３４の吸引口２５側で除去するものである。
【００３６】
３５は、回転ブラシ収納室２３の底面に設けた凹溝で、回転ブラシ収納室２３の底面をグルーミングの皮膚に密着させたときに、外気と開口部２２とを連通するためのものである。
【００３７】
以上のように構成された本実施の形態におけるグルーミング用ブラシの動作、作用は、以下の通りである。
【００３８】
最初に、ケース２０の右側面に設けられたダイヤル２７を時計方向に回して、つまり、図４では、回転ブラシ２１を反時計方向にまわして犬などのペットの毛の状態に応じてブラッシングに適した櫛歯２６（図４の例では、櫛歯２６ｃ〜２６ｅ）を開口部２２から突出させ、電気掃除機のホース（図示せず）の先端を接続管２４の後端に接続し、電気掃除機を運転しながら、接続管２４の部分を握って、前から後ろにかけて（図４中で、Ｘ方向）、ペットの毛をブラッシングする。ブラシングの際抜けた毛は、櫛歯２６の吸引口側に引っ掛けられと同時に、電気掃除機による吸引風で瞬時に吸引口２５、接続管２４、ホースを経て電気掃除機内の集塵室（図示せず）に至り、そこで集毛される。
【００３９】
通常の使用状態では、ラチェット２９の爪２９ａが、ラチェット車２８の凹部２８ａに係合しているので、回転ブラシ２１が回転することが無く、ペットのブラッシングを快適に行うことができる。
【００４０】
抜ける毛が比較的少ない場合は、櫛歯２６に抜けた毛が引っ掛かったまま残ることは無いが、毛代わりの時期等で毛が多量に抜けるときは、櫛歯２６に引っ掛かった毛が吸引しきれず残る場合がある。そのときは、接続した電気掃除機を運転しながら、バネ３０の付勢力に抗してダイヤル２７を時計方向に回して、すなわち、回転ブラシ２１を反時計方向に回して、櫛歯２６（図４の例では、櫛歯２６ｃ〜２６ｅ）が梳き歯３４を通過するようにする。そうすることにより、櫛歯２６に残っていた毛が、梳き歯３４の吸引口２５側で除去され、瞬時に電気掃除機で吸引されるので、回転ブラシ収納室２３内を常に清潔に保つことが出来る。
【００４１】
以上のように本実施の形態によれば、梳き歯３４が、吸引口２５の上縁２５ａ近傍に配されているので、電気掃除機による吸引力が梳き歯３４で除去された毛に強力に作用すると共に、ダイヤル２７を時計方向に回すだけで、櫛歯２６に付着した毛が、梳き歯３４の吸引口２５側で梳かれるので、効率よく、しかも確実に電気掃除機によって吸引される。
【００４２】
又、本実施の形態では、回転ブラシ２１の外周に櫛歯２６を５列配したにもかかわらず、ダイヤル２７を回して、回転ブラシ２１を図５に示すように位置まで回転させるだけで、全ての櫛歯２６が回転ブラシ収納室２３内に収まるので、収納スペース、包装スペースが少なくて済み、包装パッケージや運送のコストを低減することができる。
【００４３】
又、ブラッシング中に、グルーミング用ブラシの底面がペットの皮膚に密着するようなことがあっても、凹溝３５を通して外気が吸引されるので、開口部２２がペットの皮膚に密着してグルーミング用ブラシの操作がやりづらくなったり、ペットに不快感を与えたりすることもない。
【００４４】
（実施の形態２）
図６は、本発明の第２の実施の形態におけるグルーミング用ブラシの断面図である。上記第１の実施の形態におけるグルーミング用ブラシと同一部分については、同一符号を用いてその説明を省略する。
【００４５】
上記第１の実施の形態では、回転ブラシ２１を、反時計方向にのみ回転できるようにし、櫛歯２６に付着した毛を除去する梳き歯３４を、吸引口２５の上縁２５ａ近傍に配したのに対し、本実施の形態では、図６に示すように、回転ブラシ２１を時計方向（即ち、櫛歯が突出した状態で後から前へ向かう方向）にのみ回転できるように回転規制手段３８を構成し、梳き歯３４を吸引口２５の下縁２５ｂの近傍に配したものである。
【００４６】
本実施の形態における回転規制手段３８は、図６（ｂ）に示すように、実施の形態１におけるラチェット車２８と、ラチェット２９とバネ３０を、回転ブラシ２１の軸２１ａとケース右１ａにそれぞれ反転させて取り付けて構成している。
【００４７】
本実施の形態では、ケース２０の右側に配されたダイヤル２７を反時計方向に回すことで、図６に示すように回転ブラシ２１を時計方向に回して、櫛歯２６を選択することになる。
【００４８】
ペットのブラッシングのときの動作は、上記実施の形態１と同じなので説明は省略する。
【００４９】
そして、毛が、櫛歯２６ｃ、２６ｄ、２６ｅに引っ掛かったまま吸引されずに残った場合は、バネ３０の付勢力に抗してダイヤル２７を反時計方向に、すなわち、図６では、回転ブラシ２１を時計方向に回して、櫛歯２６を、梳き歯３４で梳くことにより、櫛歯２６に付着していた毛は、梳き歯３４の吸引口２５側から梳き取られ、瞬時に電気掃除機の吸引風で吸引される。
【００５０】
特に、本実施の形態では、図６（ｃ）に示すように、櫛歯２６に引っ掛かった毛に対し反対方向から梳き歯３４で梳くようになるので、櫛歯２６に引っ掛かった毛を確実に除去することが出来るものである。
【産業上の利用可能性】
【００５１】
以上のように、本発明にかかるグルーミング用ブラシは、簡単な操作で、回転ブラシに付着した毛を確実に除去することが出来るもので、床面を清掃する掃除機用吸込具などにも応用できるものである。
【図面の簡単な説明】
【００５２】
【図１】本発明の実施の形態１におけるグルーミング用ブラシの外観斜視図
【図２】同グルーミング用ブラシの裏面斜視図
【図３】（ａ）同グルーミング用ブラシの裏面斜視図（カバーを外した状態）、（ｂ）同グルーミング用ブラシの回転規制手段の側面図
【図４】（ａ）同グルーミング用ブラシの断面図、（ｂ）図４（ａ）のＡ矢視図、（ｃ）図４（ａ）のＢ矢視図
【図５】同グルーミング用ブラシの断面図（櫛歯を回転ブラシ収納室内に収納した状態）
【図６】（ａ）本発明の実施の形態２におけるグルーミング用ブラシの断面図、（ｂ）同グルーミング用ブラシの回転規制手段の側面図、（ｃ）同グルーミング用ブラシの作用を示す図
【図７】（ａ）従来のグルーミング用ブラシの断面図、（ｂ）同グルーミング用ブラシの側面図
【符号の説明】
【００５３】
２０    ケース
２１    回転ブラシ
２２    開口部
２３    回転ブラシ収納室
２４    接続管
２５    吸引口
２５ａ  上縁
２６（２６ａ〜２６ｅ）  櫛歯
２７    ダイヤル
２８    ラチェット車
２９    ラチェット
３１、３８  回転規制手段
３４    梳き歯
３５    凹溝
【図１】
0005125479.tif 000002
【図２】
0005125479.tif 000003
【図３】
0005125479.tif 000004
【図４】
0005125479.tif 000005
【図５】
0005125479.tif 000006
【図６】
0005125479.tif 000007
【図７】
0005125479.tif 000008